(57)【要約】      （修正有）【課題】安価かつ容易に用いることができる、壁面に取り付けられて支持物を取り付けるための取付具を提供する。【解決手段】壁面に取り付けられ、支持物を取り付けるための取付面を有する取付具であって、一主表面である第１部分一主表面２５ａが壁面に面するよう配設した状態において固定具２０１を他主表面である第１部分他主表面２５ｂから第１部分一主表面２５ａに向けて打ち込むことで固定具２０１を貫通させる貫通孔を形成しうる板状又はシート状の第１部分２３と、第１部分２３に対して所定の回動軸を中心に回動可能に取り付けられ、該回動により一主表面である第２部分一主表面４１が第１部分他主表面２５ｂに面すると共に他主表面である第２部分他主表面３１が該取付面を構成する板状又はシート状の第２部分２５と、第２部分一主表面４１が第１部分他主表面２５ｂと面した状態において第１部分２３に対して第２部分２５の該回動を禁止する回動禁止手段と、を備えてなる。【選択図】図３
0003190548.tif 000002
【実用新案登録請求の範囲】
【請求項１】
壁面に取り付けられ、支持物を取り付けるための取付面を有する取付具であって、
一主表面である第１部分一主表面が壁面に面するよう配設した状態において固定具を他主表面である第１部分他主表面から第１部分一主表面に向けて打ち込むことで固定具を貫通させる貫通孔を形成しうる板状又はシート状の第１部分と、
第１部分に対して所定の回動軸を中心に回動可能に取り付けられ、該回動により一主表面である第２部分一主表面が第１部分他主表面に面すると共に他主表面である第２部分他主表面が該取付面を構成する板状又はシート状の第２部分と、
第２部分一主表面が第１部分他主表面と面した状態において第１部分に対して第２部分の該回動を禁止する回動禁止手段と、
を備えてなる、取付具。
【請求項２】
第１部分と第２部分とが、前記回動軸を中心に回動可能な両部分を有する板状又はシート状の一体部材により連結されており、
一体部材の該両部分の一方が第１部分を形成するものである、請求項１に記載の取付具。
【請求項３】
前記一体部材の主表面を横断する線分に沿って他の部分に比して折れ曲がりやすい折り曲げ部分が形成され、前記回動軸が該線分に略一致するものである、請求項２に記載の取付具。
【請求項４】
前記一体部材の前記両部分の他方に取り付けられた板状又はシート状の取付面形成部の主表面により取付面が構成されるものである、請求項２又は３に記載の取付具。
【請求項５】
取付面形成部の取付面を構成する主表面とは反対の主表面が前記一体部材の主表面に面するよう取付面形成部が前記一体部材に取り付けられているものである、請求項４に記載の取付具。
【請求項６】
取付面形成部が磁性体又は磁石を含むものである、請求項４又は５に記載の取付具。
【請求項７】
第２部分一主表面が第１部分他主表面と面した状態において取付面に接する磁石が吸引する磁性体又は取付面に接する磁性体を吸引する磁石の少なくともいずれかを含むものである、請求項１乃至６のいずれか１に記載の取付具。
【請求項８】
回動禁止手段が、第２部分一主表面と第１部分他主表面との間を接着、粘着又は係止するものである、請求項１乃至７のいずれか１に記載の取付具。
【請求項９】
取付面が平滑かつ気体の透過を禁止するものである、請求項１乃至８のいずれか１に記載の取付具。
【請求項１０】
固定具がステープラーの針である、請求項１乃至９のいずれか１に記載の取付具。
【考案の詳細な説明】
【技術分野】
【０００１】
本考案は、取付具に関し、より詳細には、壁面に取り付けられて支持物を取り付けるための取付具に関する。
【背景技術】
【０００２】
壁面に取り付けられて支持物を取り付け支持する取付具はこれまで種々のものが提案されてきた（例えば、特許文献１参照）。
特許文献１には、「釘などを使用していないにもかかわらず、棚などの相当の荷重を受け持つものでも支持できる壁付け支持具を提供する」（特許文献１、要約中の課題）ためになされたものであり、「壁付け支持具１が自身と壁Ｗとの間に、磁気回路形成機構４により形成される磁気回路の磁力により、金属製の壁面Ｗａに取付けられるとともに、同支持具１に被支持部材、例えばハンガー７を係止した場合、同支持具１の壁面Ｗａ沿っての下方への移動が、降下防止機構５により抑制されるもの」（特許文献１、要約中の解決手段）が開示されている（なお、特許文献１にいう壁付け支持具が、本考案にいう取付具に相当する。）。
また、本願の出願人は、壁面に取り付けられて支持物を支持する支持具を提案し実用新案登録を行っている（特許文献２）。
【先行技術文献】
【特許文献】
【０００３】
【特許文献１】特開平９−４７３５３号公報（例えば、要約、段落番号０００１〜００１２、第１図、第２図等）
【特許文献２】登録実用新案第３１８６４９４号公報
【考案の概要】
【考案が解決しようとする課題】
【０００４】
特許文献１に開示されたような取付具（支持具）は、「取付け部と支持部とからなる壁付け支持具であって、前記取付け部が、磁気回路形成機構と、該磁気回路形成機構の下方に位置する降下防止機構とを備えてなることを特徴とする」（特許文献１の段落番号０００８）ものであり、構造及び取付作業が複雑であり安価かつ容易に用いることができるものではなかった。
そこで、本考案では、安価かつ容易に用いることができる、壁面に取り付けられて支持物を取り付けるための取付具を提供することを目的とする。
【課題を解決するための手段】
【０００５】
本考案の取付具（以下、「本取付具」という。）は、壁面に取り付けられ、支持物を取り付けるための取付面を有する取付具であって、一主表面である第１部分一主表面が壁面に面するよう配設した状態において固定具を他主表面である第１部分他主表面から第１部分一主表面に向けて打ち込むことで固定具を貫通させる貫通孔を形成しうる板状又はシート状の第１部分と、第１部分に対して所定の回動軸を中心に回動可能に取り付けられ、該回動により一主表面である第２部分一主表面が第１部分他主表面に面すると共に他主表面である第２部分他主表面が該取付面を構成する板状又はシート状の第２部分と、第２部分一主表面が第１部分他主表面と面した状態において第１部分に対して第２部分の該回動を禁止する回動禁止手段と、を備えてなる、取付具である。
【０００６】
本取付具は、壁面に取り付けられた状態において、本取付具が有する取付面に支持物を取り付けるものである。即ち、本取付具によって、壁面に支持物を直接取り付けるのではなく、壁面に取り付けられた本取付具の取付面に支持物を取り付けることにより本取付具を介して支持物を壁面に取り付け支持させることができる。
本取付具は、板状又はシート状の第１部分と、回動可能に第１部分に取り付けられた板状又はシート状の第２部分と、該回動を禁止する回動禁止手段と、を備えてなる。
第１部分は、両主表面（第１部分一主表面、第１部分他主表面）を有する板状又はシート状をなし、第１部分の一主表面である第１部分一主表面が壁面に面するよう配設される。そして、第１部分の他主表面である第１部分他主表面から第１部分一主表面に向けて固定具を打ち込むことで固定具を貫通させる貫通孔を形成しうるものであり、第１部分一主表面が壁面に面するよう本取付具を配設した状態において固定具を第１部分他主表面から第１部分一主表面に向けて打ち込むことで貫通孔が形成され、固定具がその貫通孔を貫通し、固定具が壁面に打ち込まれることで本取付具が壁面に固定される。
第２部分は、両主表面（第２部分一主表面、第２部分他主表面）を有する板状又はシート状をなし、第１部分に対して所定の回動軸を中心に回動可能に取り付けられる。第２部分は、第１部分に対する該回動軸を中心とした回動により、第２部分の一主表面である第２部分一主表面が第１部分他主表面に面すると共に第２部分の他主表面である第２部分他主表面が該取付面を構成する。第２部分が第１部分に対して該回動軸を中心として回動することにより、第２部分一主表面が第１部分他主表面に面することにより第１部分他主表面を覆う状態と、該覆う状態においては覆われていた第１部分他主表面の部分を露出させる状態と、の両状態を自由に遷移させることができる。
回動禁止手段は、第２部分一主表面が第１部分他主表面と面した状態（第２部分一主表面が第１部分他主表面に面し覆う状態）において第１部分に対して第２部分の該回動を禁止することで、第２部分一主表面が第１部分他主表面と面した状態を保持する。
かかる本取付具によれば、第２部分一主表面が後に該回動によって覆う第１部分他主表面の部分を露出させた状態において、第１部分一主表面が壁面に面するよう本取付具を配設し、固定具を第１部分他主表面から第１部分一主表面に向けて打ち込んで（貫通孔を形成して固定具を貫通させる）固定具を壁面に打ち込み本取付具を壁面に固定する。そして、第２部分を第１部分に対して該回動軸を中心として回動させ、第２部分一主表面が第１部分他主表面と面した状態で回動禁止手段により該回動を禁止する。それによって壁面に固定された本取付具の第２部分他主表面が構成する該取付面に支持物を取り付けることができる。
【０００７】
本取付具においては、第１部分と第２部分とが、前記回動軸を中心に回動可能な両部分を有する板状又はシート状の一体部材により連結されており、一体部材の該両部分の一方が第１部分を形成するもの（以下、「一体部材連結本取付具」という。）であってもよい。
こうすることで板状又はシート状の一体部材が前記回動軸を中心に回動可能な両部分を有し、該両部分の一方が第１部分を形成すると共に該両部分の他方に第２部分が取り付けられることで（該他方と第２部分とが一体又は別体のいずれも含む。）、第１部分と第２部分とが該一体部材によって前記回動軸を中心に回動可能に簡単な構成で確実に連結することができる。
【０００８】
一体部材連結本取付具の場合、前記一体部材の主表面を横断する線分に沿って他の部分に比して折れ曲がりやすい折り曲げ部分が形成され、前記回動軸が該線分に略一致するものであってもよい。
こうすることで前記一体部材の主表面を横断する線分に沿って折り曲げ部分が形成されることで、該線分に沿った前記回動軸の周りに第２部分を第１部分に対して容易に回動させることができるので本取付具の使用を容易ならしめる。折り曲げ部分としてはそれ以外の他の部分よりも折れ曲がりやすく形成されればいかなるものであってもよいが、前記一体部材の主表面を横断する線分に沿って形成された薄肉部（例えば、溝）、該線分に沿って形成されたミシン目、該線分に沿って形成された折れ癖、そして該線分に沿って断続（点線状）して形成された断続薄肉部等を例示できる。
【０００９】
一体部材連結本取付具の場合、前記一体部材の前記両部分の他方に取り付けられた板状又はシート状の取付面形成部の主表面により取付面が構成されるもの（以下、「取付面形成部具備本取付具」という。）であってもよい。
取付面は、支持物を取り付けるものであるので、取り付ける支持物に応じた適した性質（例えば、支持物を十分な強度で取り付けることができるような剛性、対衝撃性、曲げ強度等）を有するものとされることが好ましい。この取付面が有すべき性質は前記一体部材が有する性質とは異なる場合があるので、板状又はシート状の取付面形成部を前記一体部材の前記両部分の他方に取り付けることで取付面形成部の主表面により取付面を構成するようにしてもよい。
【００１０】
取付面形成部具備本取付具の場合、取付面形成部の取付面を構成する主表面とは反対の主表面が前記一体部材の主表面に面するよう取付面形成部が前記一体部材に取り付けられているものであってもよい。
このように取付面形成部の両主表面のうち取付面を構成する主表面とは反対の主表面が前記一体部材の主表面に面するよう取付面形成部が前記一体部材に取り付けられることで、いずれも板状又はシート状の取付面形成部及び前記一体部材を互いに確実に取り付けることができる。
【００１１】
取付面形成部具備本取付具の場合、取付面形成部が磁性体又は磁石を含むものであってもよい。
取付面形成部が形成する取付面に取り付ける支持物が磁石を有している場合、取付面形成部が磁性体（磁石が吸引するものであり、例えば、鋼材等。）を有していればこの磁石が磁性体を吸引することで支持物を取付面に迅速かつ容易に取り付けることができる。また、その逆に、取付面形成部が形成する取付面に取り付ける支持物が磁性体を有している場合、取付面形成部が磁石を有していればこの磁石が磁性体を吸引することで支持物を取付面に迅速かつ容易に取り付けることができる。
【００１２】
本取付具においては、第２部分一主表面が第１部分他主表面と面した状態において取付面に接する磁石が吸引する磁性体又は取付面に接する磁性体を吸引する磁石の少なくともいずれかを含むものであってもよい。
取付面に取り付ける支持物が磁石を有している場合、第２部分一主表面が第１部分他主表面と面した状態において取付面に接する磁石が吸引する磁性体を本取付具が有していればこの磁石が磁性体を吸引することで支持物を取付面に迅速かつ容易に取り付けることができる。また、取付面に取り付ける支持物が磁性体を有している場合、第２部分一主表面が第１部分他主表面と面した状態において取付面に接する磁性体を吸引する磁石を本取付具が有していればこの磁石が磁性体を吸引することで支持物を取付面に迅速かつ容易に取り付けることができる。
【００１３】
本取付具においては、回動禁止手段が、第２部分一主表面と第１部分他主表面との間を接着、粘着又は係止するものであってもよい。
回動禁止手段は、第２部分一主表面が第１部分他主表面と面した状態において第１部分に対して第２部分の該回動を禁止するものであればいかなるものであってもよいが、第２部分一主表面と第１部分他主表面との間を接着、粘着又は係止（例えば、面ファスナーやフックによる係止）するものであってもよい。特に、粘着テープ等を用いた粘着によれば、簡単な構成により迅速かつ容易に第１部分に対する第２部分の該回動を禁止できる。
【００１４】
本取付具においては、取付面が平滑かつ気体の透過を禁止するものであってもよい。
取付面に取り付ける支持物がゴム製又はプラスチック製の吸盤を有している場合、取付面が平滑かつ気体の透過を禁止するものであれば、その吸盤を取付面に直接吸着させることで支持物を取付面に迅速かつ容易に取り付けることができる。
【００１５】
本取付具においては、固定具がステープラーの針であってもよい。
固定具は、第１部分の第１部分他主表面から第１部分一主表面に向けて打ち込まれることで本取付具を壁面に固定するものであれば特に制限なく広く用いることができ、ステープラーの針、釘、画鋲、ピン等を例示できる。ステープラーの針は、左右一対の針部（壁面に打ち込まれる部分）と、一対の針部を連結する連結部と、を有しており、一対の針部が壁の内部に打ち込まれることで壁に対して固定されるものであり、針部が比較的細いため壁面への損傷を小さくすることができると共に連結部が第１部分を確実に支持するので、壁面への損傷を小さく抑えつつ本取付具を壁面に確実に固定することができる。
【図面の簡単な説明】
【００１６】
【図１】本考案の一実施形態の取付具（本取付具）を示す図である。
【図２】図１（ｂ）の矢印Ｂにて指された部分の一部拡大図である。
【図３】本取付具の使用方法の第１ステップを示す図である。
【図４】本取付具の使用方法の第２ステップを示す図である。
【図５】板状被覆部の外面に種々の係止具を取り付けるところを示す図である。
【考案を実施するための形態】
【００１７】
本考案の実施の形態を図面を参照して詳述するが、本考案はこれに限定されるものではない。
【００１８】
図１は、本考案の一実施形態の取付具（本取付具）１１を示す図（詳細には、図１（ａ）は本取付具１１の平面図であり、図１（ｂ）は図１（ａ）のＡ−Ａ断面図である。）であり、図２は図１（ｂ）の矢印Ｂにて指された部分の一部拡大図である。図１及び図２を参照して、本取付具１１について説明する。
本取付具１１は、大まかには、本体シート部２１と、本体シート部２１の一面２１ａに接着層３９により接着された板状部３１と、本体シート部２１の他面２１ｂに貼着された粘着テープ部４１と、を備えてなる。なお、図示を容易にするため、図１（ｂ）においては、板状部３１を構成する後述の板状本体部３３及び板状被覆部３５を分離して図示しておらず、接着層３９の図示を省略し、そして粘着テープ部４１を構成する後述のテープ本体部４３及び剥離紙４５を分離して図示していない（これらについての詳細は図２を参照されたい。）。また、図１（ｂ）、図３（ｂ）、図４（ｂ）及び図５においては、図示及び理解を容易にするため本体シート部２１、板状部３１及び粘着テープ部４１の厚みを大きく図示している。
【００１９】
本体シート部２１は、柔軟な合成樹脂製（ここではポリ塩化ビニル樹脂）の一体のシート部材により形成されており、本体シート部２１はミシン目２７（線分に沿って真っ直ぐ形成されている）によって第１シート部分２３と第２シート部分２５とに分けられている。第１シート部分２３は、ここでは両主表面とも長方形（ここでは略正方形）の角部が丸められた形状をなしている。そして第２シート部分２５は、第１シート部分２３の両主表面が形成する長方形（ここでは略正方形）の角部が丸められた該形状と略同じ形状を両主表面がなしている。第１シート部分２３と第２シート部分２５とはミシン目２７を境に分けられており、ミシン目２７は第１シート部分２３の両主表面がなす該長方形の一辺に沿って真っ直ぐに形成されている。そして、本体シート部２１を平面に沿うようにした場合（第１シート部分２３と第２シート部分２５とがミシン目２７を中心に１８０度をなす場合）、第１シート部分２３と第２シート部分２５とはミシン目２７に対して線対称を略なす。
上述の如く、第１シート部分２３及び第２シート部分２５のいずれも柔軟な合成樹脂により形成されているので撓ませたり自由に曲げることができ、さらにミシン目２７が形成されているので、ミシン目２７に沿って第１シート部分２３を第２シート部分２５に対して容易に折り曲げることができる。なお、上述の通り、第１シート部分２３と第２シート部分２５とはミシン目２７に対して線対称を略なすので、ミシン目２７に沿って両者を折り曲げると、第１シート部分２３の主表面と第２シート部分２５の主表面とがほぼ丁度重なる。また、ここではミシン目２７を形成しているが、これに替え又はこれに加えて凹溝（他の部分よりも厚みが薄いので折り曲げやすい）を形成してもよい。
【００２０】
板状部３１は、本体シート部２１（第１シート部分２３）の一面２１ａに接着層３９により接着された板状本体部３３と、板状本体部３３の一面（接着層３９に面する面とは反対の面）を被覆する板状被覆部３５と、を含んでなる。
板状本体部３３は、一面２１ａを構成する第１シート部分２３の一面と相似形状を両主表面が略なす鋼板製の部材により形成されており、接着層３９により板状本体部３３と第１シート部分２３とが接着されている。
板状被覆部３５は、板状本体部３３の両主表面のうち第１シート部分２３に面する面とは反対の面をカバーするように形成された被膜であり、具体的には、該反対の面に塗料を塗布し乾燥することで形成されている。板状被覆部３５は、鋼製の板状本体部３３の錆防止や板状部３１の表面（ここでは後述する外面３５ｓ）を平滑にするために設けられるものであるが必須のものではない。
また、ここでは板状本体部３３と第１シート部分２３とが接着層３９により接着され取り付けられているが、これに限定されるものではなく、板状本体部３３と第１シート部分２３とが十分な強度で確実に取り付けられるものであれば特に制限なく用いることができる（例えば、接着層３９に替えて両面テープによって粘着することもできる。）。
【００２１】
粘着テープ部４１は、テープ本体部４３と、テープ本体部４３の粘着面４２を保護するために粘着面４２に貼着された剥離紙４５と、を含んでなる。
テープ本体部４３は、本体シート部２１（第１シート部分２３）の他面２１ｂに取り付けられ、一面（第１シート部分２３に取り付けられた面とは反対の面）に粘着面４２を有している。そして、剥離紙４５は、テープ本体部４３の粘着面４２に貼着されているが、本取付具１１の使用に際し容易に粘着面４２から剥離でき、それによって粘着面４２を露出させることができる。なお、かかる粘着テープ部４１は種々の方法により本体シート部２１（第１シート部分２３）の他面２１ｂに形成できるが、例えば、両面テープ（テープの両主表面に粘着面が形成されている）の一面を他面２１ｂに貼着することで形成してもよい。
【００２２】
次いで、本取付具１１の使用方法を説明する。
図３は本取付具１１の使用方法の第１ステップを示す図（詳細には、図３（ａ）は本取付具１１を壁面１０１に取り付ける場合の正面図であり、図３（ｂ）は図３（ａ）のＡーＡ断面図（壁１０３は断面としていない）である。）である。図３を参照して、本取付具１１使用方法の第１ステップについて説明する。
まず、壁面１０１のうち本取付具１１を取り付けるべき位置に本取付具１１を配置する。このとき図３（ｂ）のように本取付具１１の板状部３１が壁面１０１に面するように配置する。そして、図示しないステープラーを用いステープラーの針２０１が第２シート部分２５を貫通するよう打ち込む（打ち込んだ状態が図３に示す状態である。）。針２０１は、一対の針部２０１ａと、一対の針部２０１ａを連結する連結部２０１ｂと、を有しており、一対の針部２０１ａが第２シート部分２５を貫通し壁面１０１に打ち込まれることで壁面１０１に対して針２０１が固定されている。そして、壁面１０１に対して固定された針２０１の連結部２０１ｂが第２シート部分２５に当接することで、壁面１０１に対して本取付具１１の第２シート部分２５が固定されている。なお、ここでは第２シート部分２５のうちミシン目２７の両端近傍に一対の針２０１が打ち込まれると共に、第２シート部分２５の主表面がなす略長方形（ここでは略正方形であり、前述の如く角部が丸められている。）の４辺のうちミシン目２７に略平行な辺の両端近傍に一対の針２０１が打ち込まれている。このように針２０１が、第２シート部分２５の主表面がなす略長方形の角部それぞれの近傍に打ち込まれることにより、第２シート部分２５が壁面１０１に沿った状態で壁面１０１に対して本取付具１１が固定されている。
【００２３】
図４は本取付具１１の使用方法の第２ステップを示す図（詳細には、図４（ａ）は図３（ａ）と同様の方向から見たところを示しており、図４（ｂ）は図３（ｂ）と同様の位置の断面を示している。）である。図４を参照して、本取付具１１の使用方法の第２ステップについて説明する。
上述した通り、図３に示した第１ステップが完了した後、本取付具１１の粘着テープ部４１の剥離紙４５を粘着面４２から剥離し粘着面４２を露出させる。そして、壁面１０１に取り付けられた第２シート部分２５に対して第１シート部分２３（板状部３１とテープ本体部４３とが取り付けられている）を壁面１０１から離れる方向（図３（ｂ）の矢印Ｃ方向）にミシン目２７を中心に回動させる。そして、テープ本体部４３の粘着面４２を第２シート部分２５に粘着させる。このように粘着面４２を第２シート部分２５に粘着させたところを図４に示している。
かかる状態においては、壁面１０１に対して垂直な方向から見たときには（図４（ａ））、板状部３１の板状被覆部３５が見えており、板状被覆部３５（樹脂が形成する薄い塗膜により形成される）が形成する外面３５ｓは平滑であると共に板状被覆部３５は薄いものであるため磁力を十分透過させる。
【００２４】
以上のようにして、本取付具１１によれば、ステープラー（不図示）を用いてステープラーの針２０１を第２シート部分２５を貫通させて壁面１０１に打ち込むことで壁面１０１に対して本取付具１１を固定でき、そしてミシン目２７を中心に第１シート部分２３を回動させて粘着面４２を第２シート部分２５に粘着させることで、壁面１０１に略平行な板状被覆部３５の外面３５ｓ（無論、外面３５ｓは壁面１０１に対して固定されている）を形成できる。
前述の通り、板状被覆部３５の外面３５ｓは平滑かつ気体を通過させない（気密性）ものであると共に板状被覆部３５は磁力を十分透過させるので、図５に示すように外面３５ｓには、鋼板製の板状本体部３３への磁力による吸引力を利用した磁石４１１を有する係止具４０１、外面３５ｓへの吸着による吸引力を利用した吸引カップ５１１（吸盤と呼ばれることもある）を有する係止具５０１、そして接着剤６１１により外面３５ｓに接着される係止具６０１のいずれのものも容易、迅速及び確実に取り付けることができる。なお、これら係止具４０１、５０１、６０１はフック形状のものを示しているがこれに限定されるものでないことは言うまでもなく、さらに外面３５ｓには係止具以外のものを自由に取り付けることができる。
このように本取付具１１によれば壁面１０１に対してはステープラーの針２０１を打ち込むのみで種々のものを取り付けることができる外面３５ｓを形成でき、本取付具１１が不要になったときには壁面１０１からステープラーの針２０１を抜き取ることで容易に本取付具１１を取り外すことができる。この壁面１０１からステープラーの針２０１を抜き取った後に壁面１０１に残る針２０１が打ち込まれた痕は、針部２０１ａが極細であることから最小に留めることができる。つまり本取付具１１を用いることで壁面１０１の損傷を極めて小さく抑えつつ、壁面１０１に自由に物を取り付けることができる。
【００２５】
以上説明の通り、本取付具１１は、壁面１０１に取り付けられ、支持物（ここでは係止具４０１、５０１、６０１）を取り付けるための取付面（ここでは板状被覆部３５の外面３５ｓ）を有する取付具であって、一主表面である第１部分一主表面（第２シート部分２５の一主表面２５ａ）が壁面１０１に面するよう配設した状態（図３）において固定具（ここではステープラーの針２０１）を他主表面である第１部分他主表面（第２シート部分２５の他主表面２５ｂ）から第１部分一主表面（第２シート部分２５の一主表面２５ａ）に向けて打ち込むことで固定具（ステープラーの針２０１）を貫通させる貫通孔（ここでは一対の針部２０１ａが第２シート部分２５を貫通する孔）を形成しうる板状又はシート状（ここではシート状）の第１部分（ここでは第２シート部分２５を含んでなる。）と、第１部分（第２シート部分２５）に対して所定の回動軸（ここではミシン目２７が沿った線分）を中心に回動可能に取り付けられ、該回動により一主表面である第２部分一主表面（ここでは粘着テープ部４１側の面）が第１部分他主表面（第２シート部分２５の他主表面２５ｂ）に面すると共に他主表面である第２部分他主表面（ここでは板状部３１側の面）が該取付面（板状被覆部３５の外面３５ｓ）を構成する板状又はシート状（ここでは板状）の第２部分（ここでは第１シート部分２３と板状部３１と粘着テープ部４１とを含んでなる。）と、第２部分一主表面（粘着テープ部４１側の面）が第１部分他主表面（第２シート部分２５の他主表面２５ｂ）と面した状態において第１部分（第２シート部分２５）に対して第２部分（第１シート部分２３と板状部３１と粘着テープ部４１）の該回動を禁止する回動禁止手段（ここでは粘着面４２）と、を備えてなる、取付具である。
【００２６】
本取付具１１においては、第１部分（第２シート部分２５）と第２部分（第１シート部分２３と板状部３１と粘着テープ部４１）とが、前記回動軸（ミシン目２７が沿った線分）を中心に回動可能な両部分（ここでは第１シート部分２３と第２シート部分２５）を有する板状又はシート状の一体部材（ここでは本体シート部２１）により連結されており、一体部材（本体シート部２１）の該両部分（第１シート部分２３と第２シート部分２５）の一方（第２シート部分２５）が第１部分を形成するものである。
本取付具１１においては、前記一体部材（本体シート部２１）の主表面を横断する線分に沿って他の部分に比して折れ曲がりやすい折り曲げ部分（ここではミシン目２７）が形成され、前記回動軸が該線分（ミシン目２７が沿った線分）に略一致するものである。
【００２７】
本取付具１１においては、前記一体部材（本体シート部２１）の前記両部分（第１シート部分２３と第２シート部分２５）の他方（第１シート部分２３）に取り付けられた板状又はシート状（ここでは板状）の取付面形成部（ここでは板状部３１）の主表面（板状被覆部３５の外面３５ｓ）により取付面が構成されるものである。
本取付具１１においては、取付面形成部（板状部３１）の取付面を構成する主表面（板状被覆部３５の外面３５ｓ）とは反対の主表面が前記一体部材（本体シート部２１）の主表面（一面２１ａ）に面するよう取付面形成部（板状部３１）が前記一体部材（本体シート部２１）に取り付けられているものである。
【００２８】
本取付具１１においては、取付面形成部（板状部３１）が磁性体（ここでは磁性体である鋼製の板状本体部３３）又は磁石を含むものである。
本取付具１１においては、第２部分一主表面（粘着テープ部４１が形成する面）が第１部分他主表面（第２シート部分２５の他主表面２５ｂ）と面した状態において取付面（板状被覆部３５の外面３５ｓ）に接する磁石（磁石４１１）が吸引する磁性体（ここでは磁性体である鋼製の板状本体部３３）又は取付面に接する磁性体を吸引する磁石の少なくともいずれかを含むものである。
本取付具１１においては、回動禁止手段（粘着面４２）が、第２部分一主表面（粘着テープ部４１側の面）と第１部分他主表面（第２シート部分２５の他主表面２５ｂ）との間を接着、粘着又は係止するものである（ここでは粘着する）。
本取付具１１においては、取付面（板状被覆部３５の外面３５ｓ）が平滑かつ気体の透過を禁止するものである。
本取付具１１においては、固定具がステープラーの針２０１である。
【符号の説明】
【００２９】
１１            本取付具
２１            本体シート部
２１ａ          一面
２１ｂ          他面
２３            第１シート部分
２５            第２シート部分
２５ａ          一主表面
２５ｂ          他主表面
２７            ミシン目
３１            板状部
３３            板状本体部
３５            板状被覆部
３５ｓ          外面
３９            接着層
４１            粘着テープ部
４２            粘着面
４３            テープ本体部
４５            剥離紙
１０１            壁面
１０３            壁
２０１            ステープラーの針
２０１ａ          針部
２０１ｂ          連結部
４０１            係止具
４１１            磁石
５０１            係止具
５１１            吸引カップ
６０１            係止具
６１１            接着剤
【図１】
0003190548.tif 000003
【図２】
0003190548.tif 000004
【図３】
0003190548.tif 000005
【図４】
0003190548.tif 000006
【図５】
0003190548.tif 000007